(57)【要約】      （修正有）【課題】２種類の軽量パネルを組み合わせて避難先で隣人に気兼ねすることなく仮住まいできる間仕切り空間を簡単に確保できる簡易間仕切りユニットおよびこれを用いた簡易間仕切り構造を提供する。【解決手段】複数枚の第１軽量パネル１２と、該第１軽量パネル１２を横方向に２枚並べた一方の分割パネル部２２ａと他方の分割パネル部２２ｂとで長方形状を呈し、かつ、分割パネル部２２ａ，２２ｂ相互をその境界部を介して折返し可能とすべく該境界部に形成されたハーフカット状の圧着部を備える複数枚の第２軽量パネル２２と、パネル連結用の複数本のＨ型連結具３２と、パネル差込用の十字溝を備える複数個の台座４２とが少なくとも用いられ、出入口５７を各別に備える複数の間仕切り空間５８の確保を可能に第１軽量パネル１２と第２軽量パネル２２とを組み合わせた。【選択図】図５
0003176838.tif 000002
【実用新案登録請求の範囲】
【請求項１】
方形形状を呈する複数枚の第１軽量パネルと、該第１軽量パネルを横方向に２枚並べた一方の分割パネル部と他方の分割パネル部とで長方形状を呈し、かつ、前記分割パネル部相互をその境界部を介して折返し可能とすべく該境界部に形成されたハーフカット状の圧着部を備える複数枚の第２軽量パネルと、前記第１軽量パネル相互もしくは前記第１軽量パネルと前記第２軽量パネルとを連結するために介在配置される複数本のＨ型連結材と、前記第１軽量パネルまたは前記第２軽量パネルを四方向からの差し込みを可能とすべく形成された十字溝を備える複数個の台座とで少なくとも構成したことを特徴とする簡易間仕切りユニット。
【請求項２】
前記第２軽量パネルが前記圧着部を介して直角に折曲された際におけるコーナー部の折曲角度を維持させるために形成された複数個のコーナー補強具をさらに含む請求項１に記載の簡易間仕切りユニット。
【請求項３】
請求項１に記載の簡易間仕切りユニットが用いられ、
直角に折曲された１枚の第２軽量パネルにおける一方の前記分割パネル部の開放縦縁側には、相互の面方向が直交する位置関係のもとで１枚の前記第１軽量パネルにおける縦方向での中間位置を当接させた略Ｔ字状に配置され、他方の前記分割パネル部の開放縦縁側の面方向には、前記台座と前記Ｈ型連結材とを介して２枚の前記第１軽量パネルが連続配置されて組み合わされる第１基本組立パターンとし、別途用意される３枚の前記第１軽量パネルは、前記台座と前記Ｈ型連結材とを介して相互の面方向を連続させて配置されて組み合わされる第２基本組立パターンとし、
これら第１基本組立パターンと第２基本組立パターンとは、該第２基本組立パターンにおける前記第１軽量パネルを介して区画される出入口を各別に備える複数の間仕切り空間の確保を可能に組み合わせたことを特徴とする簡易間仕切り構造。
【請求項４】
請求項２に記載の簡易間仕切りユニットが用いられ、
前記間仕切り空間を仕切る前記第１軽量パネルと前記第２軽量パネルとのうち、前記第１基本組立パターンを構成している第１軽量パネルの前記分割パネル部相互間に形成されるコーナー部には、前記コーナー補強具を配置してその折曲角度の安定的な維持を可能とした請求項３に記載の簡易間仕切り構造。
【考案の詳細な説明】
【技術分野】
【０００１】
本考案は、震災などの非常時に避難先で生活空間を確保できるようにするための簡易間仕切りユニットおよびこれを用いた簡易間仕切り構造に関する技術である。
【背景技術】
【０００２】
東日本大震災などのような激甚災害時における被災地では、被災者が安心して寝起きできる生活空間の確保が難しくなることから、広い空間が確保できる体育館などのような収容施設が避難場所として提供され、例えば家族単位で構成されるそれぞれの各被災者が寝起きできる比較的狭い生活空間を確保するために仕切られた各スペース内での一時的な起居を強いられることになる。
【０００３】
この場合、仕切られた各スペースは、通常、特に間仕切りもないことから誰もが見通すことができる状態となり、家族単位でのプライバシーの確保が困難になり、それでなくとも落ち込んでいる被災者をさらに心身共に疲弊させてしまうといった問題があった。
【０００４】
このような問題を解消する手法としては、少なくとも就寝時には他の家族からの視線を気にしないで済むように、例えば自分の家族のために与えられたスペースの周囲に紙材で製造されている板状段ボールや木屑から再生されている板状段ボールを立てて囲い込むようにして生活できるようにしたものも従来からある。
【０００５】
しかし、このように板状段ボール等を立てて単に囲い込むようにした従来手法では、立てた状態を安定的に維持させることは構造的に無理であり、特に、できるだけプライバシーを守ろうとして例えば高さが９００ｍｍ程度ある板状段ボールを用いる場合には簡単に倒れてしまうといった問題があった。
【０００６】
特許文献１には、このような問題を解決すべく、板状段ボールに相当する壁部材を安定的に組み合わせて長期間の使用にも耐えられるようにした間仕切り構造が開示されている。
【先行技術文献】
【特許文献】
【０００７】
【特許文献１】実用新案登録第３０２３１１７号公報
【０００８】
すなわち、上記特許文献１に開示されている間仕切り構造には、紙や硬質発泡材等の軽量材で形成されている壁部材の上部と下部とに断面Ｕ字状の溝を有する連結具を嵌合接続することで四方を囲む側壁を形成するものであった。
【考案の概要】
【考案が解決しようとする課題】
【０００９】
しかし、特許文献１の壁部材は、面サイズが同じものを用いて側壁を構築しようとするものであることから、必要枚数もそれだけ多くなってしまう不都合があった。また、連結具は、側壁の連結部の形状に応じて直線形やＬ字形やＴ字形や十字形のものなど、各種タイプのものを用意しなければならず、それだけ部材管理や組み立て作業が煩雑になる不具合もあった。
【００１０】
しかも、紙を用いた壁部材による場合には、備蓄用として長期間にわたり保管しておく必要があるにもかかわらず、水分に弱いために劣化しやすく、その耐久性に難があるという問題もあった。
【００１１】
本考案は、従来技術の上記課題に鑑み、面サイズを異にする耐久性に富む２種類の軽量パネルを適宜安定的に組み合わせることで、避難先で隣人に気兼ねすることなく仮住まいできる間仕切り空間を簡単に確保することができる簡易間仕切りユニットおよびこれを用いた簡易間仕切り構造を提供することを目的とする。
【課題を解決するための手段】
【００１２】
本考案は、上記目的を達成すべくなされたものであり、そのうちの第１の考案（簡易間仕切りユニット）は、方形形状を呈する複数枚の第１軽量パネルと、該第１軽量パネルを横方向に２枚並べた一方の分割パネル部と他方の分割パネル部とで長方形状を呈し、かつ、前記分割パネル部相互をその境界部を介して折返し可能とすべく該境界部に形成されたハーフカット状の圧着部を備える複数枚の第２軽量パネルと、前記第１軽量パネル相互もしくは前記第１軽量パネルと前記第２軽量パネルとを連結するために介在配置される複数本のＨ型連結具と、前記第１軽量パネルまたは前記第２軽量パネルを四方向からの差し込みを可能とすべく形成された十字溝を備える複数個の台座とで少なくとも構成したことを最も主要な特徴とする。
【００１３】
この場合、簡易間仕切りユニットには、前記第２軽量パネルが前記圧着部を介して直角に折曲された際におけるコーナー部の折曲角度を維持させるために形成された複数個のコーナー補強具を含めるのが好ましい。
【００１４】
また、第２の考案（簡易間仕切り構造）は、請求項１に記載の簡易間仕切りユニットが用いられ、直角に折曲された１枚の第２軽量パネルにおける一方の前記分割パネル部の開放縦縁側には、相互の面方向が直交する位置関係のもとで１枚の前記第１軽量パネルにおける縦方向での中間位置を当接させた略Ｔ字状に配置され、他方の前記分割パネル部の開放縦縁側の面方向には、前記台座と前記Ｈ型連結材とを介して２枚の前記第１軽量パネルが連続配置されて組み合わされる第１基本組立パターンとし、別途用意される３枚の前記第１軽量パネルは、前記台座と前記Ｈ型連結具とを介して相互の面方向を連続させて配置されて組み合わされる第２基本組立パターンとし、これら第１基本組立パターンと第２基本組立パターンとは、該第２基本組立パターンにおける前記第１軽量パネルを介して区画される出入口を各別に備える複数の間仕切り空間の確保を可能に組み合わせたことを最も主要な特徴とする。
【００１５】
この場合、簡易間仕切りユニットには、請求項２に記載の簡易間仕切りユニットが用いられ、前記間仕切り空間を仕切る前記第１軽量パネルと前記第２軽量パネルとのうち、前記第１組立パターンを構成している第１軽量パネルの前記分割パネル部相互間に形成されるコーナー部に前記コーナー補強具を配置してその折曲角度の安定的な維持を可能とするのが好ましい。
のが好ましい。
【考案の効果】
【００１６】
本考案によれば、少なくとも第１軽量パネル、第２軽量パネル、Ｈ型連結具および台座の４構成部材を適宜組み合わせることで、誰もが簡単に組み立てることができる。しかも、組み立て後は、出入口を各別に備えるプライバシーがよく守られた複数の間仕切り空間を確保することができるので、震災などの非常時に避難先で隣人に気兼ねすることなく安心して仮住まいすることができる。また、第１軽量パネルと第２軽量パネルとは、そのいずれの周縁部も円曲化された溶着部とすることで、手指を傷付けることなく安心して使用することができる。
【００１７】
さらに、簡易間仕切りユニットは、いずれもが水気に強い耐久性に富む部材のみを用いて形成されているので、備蓄用として長期間にわたりその品質・性能を劣化させることなく安心して保管しておくことができる。
【００１８】
また、簡易間仕切りユニットのうち、最大面サイズを備える第２軽量パネルは、圧着部を介して第１軽量パネルと同じ面サイズに二つ折りすることができるので、第１軽量パネルの面サイズを最大面サイズとする簡易間仕切りユニットとして、不必要に広い場所を占めないコンパクトな状態のもとで備蓄しておくことができる。
【図面の簡単な説明】
【００１９】
【図１】第１の考案の構成例を示す斜視図。
【図２】図１における第１軽量パネルを例にそのＡ−Ａ線矢視方向での断面構造を示す一部を省略して示す説明図であり、そのうちの（ａ）は、開放周縁部に対する溶着処理を施す前の縦断面図を、（ｂ）は、開放周縁部に対する溶着処理を施した後の台座に設置した状態での縦断面図をそれぞれ示す。
【図３】第１の考案を用いた第１基本組立パターン例を示す斜視図。
【図４】第１の考案を用いた第２基本組立パターン例を示す斜視図。
【図５】第２の考案における実組立例を示す斜視図。
【考案を実施するための形態】
【００２０】
図１は、本考案のうち、第１の考案（簡易間仕切りユニット）の構成例を示す概略説明図である。同図によれば、簡易間仕切りユニット１１は、例えば正方等の方形形状を呈する複数枚の第１軽量パネル１２と、該第１軽量パネル１２を横方向に２枚並べた一方の分割パネル部２２ａと他方の分割パネル部２２ｂとで長方形状を呈し、かつ、分割パネル部２２ａ，２２ｂ相互をその境界部２２ｃを介して折返し可能とすべく該境界部２２ｃに形成されたハーフカット状の圧着部２７を備える複数枚の第２軽量パネル２２と、第１軽量パネル１２，１２相互もしくは第１軽量パネル１２と第２軽量パネル２２とを連結するために介在配置される複数本のＨ型連結材３２と、第１軽量パネル１２または第２軽量パネル２２を四方向からの差し込みを可能とすべく形成された十字溝４３を備える複数個の台座４２と、第２軽量パネル２２が圧着部２７を介して直角に折曲された際におけるコーナー部３０の折曲角度を維持させるために形成された複数個のコーナー補強具５２とでその全体が構成されている。
【００２１】
これらのうち、第１軽量パネル１２は、例えば厚さ５ｍｍで縦横幅９００ｍｍの正方形を呈するプラスチック材からなり、しかも、その一側面１３側と他側面１４側とがこれら両者の間に横方向に向けて等間隔に介在配置された多数の補強リブ１５により上下方向に並ぶ多くの中空部１６を区画形成して一体に連結されている。
【００２２】
しかも、第１軽量パネル１２は、その一側面１３と他側面１４とのそれぞれの開放周縁部１３ａ，１４ａ相互を、その全周にわたり一体に溶着加工して丸みをつけた溶着部１７とすることで、手指を傷付けることなく安全に使用することができるようになっている。
【００２３】
また、第２軽量パネル２２は、例えば厚さ５ｍｍで縦幅９００ｍｍで横幅１８０ｍｍの長方形を呈するプラスチック材からなり、しかも、第１軽量パネル１２と同様に、その一側面２３側と他側面２４側とがこれら両者の間に横方向に向けて等間隔に介在配置された多数の補強リブ２５により上下方向に並ぶ多くの中空部１６を区画形成して一体に連結されている。
【００２４】
しかも、第２軽量パネル２２は、一方の分割パネル部２２ａと他方の分割パネル２２ｂとの境界部２２ｃに圧着部２７が形成されているので、不使用には分割パネル部２２ａ，分割パネル２２ｂ相互が対面合致するように１／２の面サイズに折り畳むことができるようになっている。
【００２５】
また、第２軽量パネル２２は、その一側面２３と他側面２４とが、第１軽量パネル１２と同様に、それぞれの開放周縁部２３ａ，２４ａ相互をその全周にわたり一体に溶着加工して丸みをつけた溶着部２８とすることで、手指を傷付けることなく安全に使用することができるようになっている。
【００２６】
第１軽量パネル１２，１２相互あるいは第１軽量パネル１２と第２軽量パネル２２とを連結する厚さ１０ｍｍ程度のＨ型連結材３２は、第１軽量パネル１２や第２軽量パネル２２の縦寸よりはやや短寸な長さ（例えば８４０ｍｍ程度）で、その横幅が５０ｍｍ程度の一側板部３３と他側板部３４とを、それぞれの横幅方向での中間位置にて板状リブ３５で連結したプラスチック材からなる一体構造として形成されている。
【００２７】
この場合、Ｈ型連結材３２は、板状リブ３５を間に挟んだ両側に差込み溝３６を各別に確保することができるので、各差込み溝３６に隣り合う２枚の第１軽量パネル１２を各別に差し込んだり、隣り合う第１軽量パネル１２と第２軽量パネル２２とを各別に差し込んだりすることにより、相互を連結することができるようになっている。
【００２８】
一方、台座４２は、上面方向からの第１軽量パネル１２の下端部１８または第２軽量パネル２２の下端部２９を最大で四方向に向かう十字状に差し込むことができる十字溝４３をその上面側に少なくとも備えて形成されている。
【００２９】
この場合、好ましい台座４２としては、高さが５５ｍｍ程度で、最大径が１２０ｍｍ程度のドーム形状を呈する台座本体部４４と、該台座本体部４４の下縁側から前下がりに傾斜させた裾部４５との全体をゴムで一体形成されているもの、例えば台座本体部４４に溝幅５ｍｍ強の十字溝４３が刻入された意匠登録第１３７３３４７号に係る「間仕切板固定用台座」を好適に用いることができる。しかし、台座４２としては、上面に十字溝４３を備えるものでありさえすれば、上記以外のプラスチック材などで形成された適宜形状を呈するものであっても使用することができる。
【００３０】
また、台座４２の十字溝４３については、第１軽量パネル１２や第２軽量パネル２２を差し込んだ際により安定してこれを保持することができるように、４条の各溝部４３ａ，４３ｂ，４３ｃ，４３ｄのそれぞれの底面に、各溝部４３ａ，４３ｂ，４３ｃ，４３ｄの出会い位置（中心位置）に向かってやや前下がりとなる傾斜をつけておくこともできる。
【００３１】
コーナー補強具５２については、図３の第１組立パターンにおいて直角に配置されている第２軽量パネル２２の分割パネル部２２ａ，２２ｂ相互間に形成されるコーナー部３０の上縁部３０ａに配置され、これによりその折曲角度を安定的に維持させることができるようになっている。
【００３２】
この場合におけるコーナー補強具５２としては、図１に示されているように、例えば第２軽量パネル２２のコーナー部３０の上縁部３０ａ側から各別に挟持する一対のクリップ部５３，５３を相互の内角が９０度となるようにして連結した上で、一方のクリップ部５３の内側面に支腕部５４を回動自在に軸支させ、他方のクリップ部５３の内側面に支腕部５４の折曲先端部５４ａが掛止される掛止部５５を具備させたプラスチック材により形成されているものを好適に用いることができる。
【００３３】
しかし、コーナー補強具５２は、金属材などのような剛性に富む部材を用いて形成されるものであれば、相互の内角が９０度となるように連結された適宜構造の一対のクリップ部５３，５３のみで形成することもでき、各クリップ部５３，５３で例えば第２軽量パネル２２のコーナー部３０を上縁部３０ａ側から各別に挟持させることで、その折曲角度の安定的な維持を可能にして使用することもできる。
【００３４】
次に、第２の考案につき、第１の考案の作用・効果とともに図３に示す第１基本組立パターンを例に説明すれば、直角に折曲された１枚の第２軽量パネル２２は、一方の分割パネル部２２ａと他方の分割パネル部２２ｂとの間に形成されるコーナー部３０の下端部２９側を図１に示す台座４２の十字溝４３における溝部４３ａと溝部４３ｂとに差し込んで下支えさせて直角起立状態を維持させる。
【００３５】
この場合、第２軽量パネル２２における一方の分割パネル部２２ａは、その開放縦縁側に相互の面方向が直交する位置関係のもとで１枚の第１軽量パネル１２における縦方向での中間位置を当接させた略Ｔ字状に配置した状態のもとで、図１に示す台座４２の十字溝４３における溝部４３ｃに差し込んで下支えさせる。
【００３６】
また、第２軽量パネル２２における他方の分割パネル部２２ｂは、その開放縦縁側の面方向に１枚目の第１軽量パネル１２をＨ型連結材３２を介在させて連続させた状態のもとで、図１に示す台座４２の十字溝４３における溝部４３ｄにはその下端部２９を、溝部４３ｂには第１軽量パネル１２の下端部１８をそれぞれ差し込んで下支えさせることで配置される。
【００３７】
さらに、他方の分割パネル部２２ｂと連続させた第１軽量パネル１２は、その開放縦縁側の面方向に１枚の第１軽量パネル１２をＨ型連結材３２を介在させてさらに連続させた状態のもとで、図１に示す台座４２の十字溝４３における溝部４３ｄにはその下端部１８を、溝部４３ｂには２枚目の第１軽量パネル１２の下端部１８をそれぞれ差し込んで下支えさせることで配置される。
【００３８】
また、第２の考案を図４に示す第２基本組立パターンを例に説明すれば、１枚目の第１軽量パネル１２と２枚目の第１軽量パネル１２とは、Ｈ型連結材３２を介在させて連続させた状態のもとで、１枚目の下端部１８が図１に示す台座４２の十字溝４３における溝部４３ｄに、２枚目の下端部１８が同じ台座の十字溝４３における溝部４３ｂにそれぞれ差し込まれて下支えされる。
【００３９】
また、２枚目の第１軽量パネル１２と３枚目の第１軽量パネル１２とは、Ｈ型連結材３２を介在させて連続させた状態のもとで、２枚目の下端部１８が図１に示す台座４２の十字溝４３における溝部４３ｄに、３枚目の下端部１８が同じ台座の十字溝４３における溝部４３ｂにそれぞれ差し込まれて下支えされる。なお、図４中には、１枚目の第１軽量パネル１２の左側に位置する下端部１８が図１に示す別の台座４２の十字溝４３における溝部４３ｂに差し込まれて下支えされ、３枚目の第１軽量パネル１２の右側上縁部にコーナー補強具５２の一方のクリップ部５３を挟着させた状態のもとで第２基本組立パターンの全体が示されている。
【００４０】
次に、図３の第１基本組立パターンと図４の第２基本組立パターンおよびその変形例とを適宜組み合わせて形成される第２の考案の実際の組立例を、図５に基づいて説明する。
【００４１】
すなわち、図５によれば、左側の縦列には、第１軽量パネル１２の２枚分の長さの間隔をあけて図３に示す第１基本組立パターンが横列方向に５列配置される。また、右側の縦列には、図３に示す第１基本組立パターンとは左右対称となるように配置替えした第１基本組立パターンの変形パターンのもとで左側の縦列と同様に第１軽量パネル１２の２枚分の長さの間隔をあけて横列方向に５列配置される。
【００４２】
また、第１基本組立パターンである左側の縦列と、該第１基本組立パターンの変形パターンである右側の縦列との境界に位置する計５箇所の縦方向には、図４の第２基本組立パターンの変形例である２枚の第１軽量パネル１２，１２相互をＨ型連結材３２を介して連続させた状態として各別に配置される。
【００４３】
この場合、第１基本組立パターンおよびその変形パターン側との計５箇所のそれぞれの境界位置のうち、その下端側には、台座４２が、上端側には、コーナー補強具５２がそれぞれ各別に配置され、対応する下端部位は十字溝４３の対応溝部側に差し込まれて下支えされ、適宜のコーナー部位はコーナー補強具５２に支持されて強度的に補強されることになる。
【００４４】
また、最前列の縦方向での中央位置に配列された２枚の第１軽量パネル１２，１２の先端側には、その面方向とは直交する配置関係のもとで、その左側と右側とに図４の第２基本組立パターンのもとでそれぞれ３枚の第１軽量パネル１２を連続させた状態で横列配置され、その全体で平面視Ｔ字状を呈することになる。
【００４５】
この場合も、相互の境界位置のうち、その下端側には、台座４２が、上端側には、コーナー補強具５２が配置され、対応する下端部位は十字溝４３の対応溝部側に差し込まれて下支えされ、適宜のコーナー部位はコーナー補強具５２に支持されて強度的に補強されることになる。
【００４６】
すなわち、図５に示す第２の考案の実際の組立例によれば、床面Ｆとの間に２０ｍｍ程度の隙間を形成した状態で９２０ｍｍの高さで外部から遮蔽され、かつ、それぞれが出入口５７を備える４．６８ｍ２程度の構造的に安定させた間仕切り空間５８を１０スペース確保することができることになる。
【００４７】
このため、本考案によれば、少なくとも第１軽量パネル１２、第２軽量パネル２２、Ｈ型連結具３２および台座４２の４構成部材を適宜組み合わせることで、誰もが簡単に組み立てることができる。しかも、組み立て後は、出入口５７を各別に備えるプライバシーがよく守られた複数の間仕切り空間５８を確保することができるので、震災などの非常時に避難先で隣人に気兼ねすることなく安心して仮住まいすることができる。また、第１軽量パネル１２と第２軽量パネル２２とは、そのいずれの周縁部も円曲化された溶着部１７，２８とすることで、手指を傷付けることなく安心して使用することができる。
【００４８】
さらに、簡易間仕切りユニット１１は、いずれもが水気に強い耐久性に富む部材のみを用いて形成されているので、備蓄用として長期間にわたりその品質・性能を劣化させることなく安心して保管しておくことができる。
【００４９】
また、簡易間仕切りユニット１１のうち、最大面サイズを備える第２軽量パネル２２は、圧着部２７を介して第１軽量パネル１２と同じ面サイズに二つ折りすることができるので、第１軽量パネル１２の面サイズを最大面サイズとする簡易間仕切りユニット１１として、不必要に広い場所を占めないコンパクトな状態のもとで備蓄しておくことができる。
【００５０】
以上は、本考案を図示例に基づいて説明したものであり、その具体的な構造はこれに限定されるものではない。例えば、図３に示す第１基本組立パターンと図４に示す第２基本組立パターンとは、いずれもその好適例を示したものであり、これらの基本パターンをベースとしつつも、さらに変形させた組み合わせとすることもできる。また、第２の考案である簡易間仕切り構造は、図５に示す実組立例以外にも、避難場所で確保される床面Ｆの面積の広狭に応じた適宜のパターンのもとで柔軟に組み立てることができる。さらに、各間仕切り空間５８において出入口５７を仕切っている第１軽量パネル１２の表側には、図５に示すように透明ホルダーＨを貼着することで、該透明ホルダーＨ内に避難者の名札を入れたり、間仕切り空間５８の番号札を入れたり、マニュアルを入れたりしておくようにすることもできる。なお、コーナー補強具５２は、図５の右列に示されているように第２軽量パネル２２のコーナー部３０の上縁部３０ａだけでなく、その他の適宜のコーナー部位にも使用することができるほか、図５の左列に示されてるように使用しないこともできる。
【符号の説明】
【００５１】
１１  簡易間仕切りユニット
１２  第１軽量パネル
１３  一側面
１３ａ  開放周縁部
１４  他側面
１４ａ  開放周縁部
１５  補強リブ
１６  中空部
１７  溶着部
１８  下端部
２２  第２軽量パネル
２２ａ，２２ｂ  分割パネル部
２２ｃ  境界部
２３  一側面
２３ａ  開放周縁部
２４  他側面
２４ａ  開放周縁部
２５  補強リブ
２６  中空部
２７  圧着部
２８  溶着部
２９  下端部
３０  コーナー部
３０ａ  上縁部
３２  Ｈ型連結具
３３  一側板部
３４  他側板部
３５  板状リブ
３６  差込み溝
４２  台座
４３  十字溝
４４  台座本体部
４５  裾部
５２  コーナー補強具
５３  クリップ部
５４  支腕部
５４ａ  垂下先端部
５５  掛止部
５６  掛合孔
５７  出入口
５８  間仕切り空間
Ｈ  透明ホルダー
Ｆ  床面
【図１】
0003176838.tif 000003
【図２】
0003176838.tif 000004
【図３】
0003176838.tif 000005
【図４】
0003176838.tif 000006
【図５】
0003176838.tif 000007